【手続補正書】
【提出日】平成26年8月26日(2014.8.26)
【手続補正１】
【補正対象書類名】特許請求の範囲
【補正対象項目名】全文
【補正方法】変更
【補正の内容】
【特許請求の範囲】
【請求項１】
容積式圧縮機であって、
第１の端部と第２の端部と湾曲した内側表面とを有する円筒形状のケーシング（４００）を含む圧縮室（４１０）と、
前記圧縮室（４１０）内に軸方向に配置されたシャフト（１４０）と、
前記シャフト（１４０）と同心で回転するように設置され、前記円筒形状のケーシング（４００）の前記湾曲した内側表面に対応する湾曲した表面を有するシーリング部分（５１０）と非シーリング部分とを有する非円形のローター（５００，５０２，５０４，５０６）と、
第１の端部と第２の端部とを有するゲート（６００）と、
前記ゲート（６００）の前記第１の端部を回転する前記非円形のローター（５００，５０２，５０４，５０６）に近接して配置させるように動作可能なゲートポジショニングシステム（２００，３００，３７０）と、
を備える容積式圧縮機。
【請求項２】
請求項１に記載の容積式圧縮機であって、
前記圧縮室（４１０）内に注入される流体を提供するために配置された少なくとも１つの液体注入ノズル（１３０，１３６，３２２）を更に備え、
前記少なくとも１つの液体注入ノズル（１３０，１３６，３２２）は、霧状の液体スプレーを提供するように構成される、
容積式圧縮機。
【請求項３】
請求項１に記載の容積式圧縮機であって、
前記ローター（５００，５０２，５０４，５０６）は、水平方向に位置決めされた第１の端部と第２の端部とを有し、
前記ゲート（６００）は、前記ケーシング（４００）の底部に配置され上下に動作可能であり、
入口（４２０）が、前記ゲート（６００）の一方側の前記ケーシング（４００）に配置され、
出口ポート（４３０）が、前記ゲート（６００）の反対側の前記ケーシング（４００）に配置される、
容積式圧縮機。
【請求項４】
前記圧縮機は、前記ローター（５００，５０２，５０４，５０６）が前記圧縮機の動作中に水平軸の周りを回転するような向きに構成される請求項１に記載の容積式圧縮機。
【請求項５】
前記ゲートポジショニングシステム（２００，３００，３７０）の一部が、前記圧縮室（４１０）の外側に配置される請求項１に記載の容積式圧縮機。
【請求項６】
前記ゲートポジショニングシステム（２００，３００）は、前記ゲートポジショニングシステム（２００，３００）を駆動する少なくとも１つのカム（２４０，２９３，３４２）を備える請求項１に記載の容積式圧縮機。
【請求項７】
前記カム（２４０，２９３，３４２）は、前記圧縮室（４１０）の外側に配置される請求項６に記載の容積式圧縮機。
【請求項８】
請求項６に記載の容積式圧縮機であって、
前記ゲートポジショニングシステム（２００，３００）は、
前記少なくとも１つのカム（２４０，２９３，３４２）に接続する少なくとも１つのカムフォロワー（２５０，２５２，２５４）と、
前記少なくとも１つのカムフォロワー（２５０，２５２，２５４）の動作が前記ゲート（６００）の動作を引き起こすように、前記ゲート（６００）を前記カムフォロワー（２５０，２５２，２５４）に接続するゲート支持アーム（２２０）と、を備える、
容積式圧縮機。
【請求項９】
前記ゲートポジショニングシステム（２００，３００）は、前記カムフォロワー（２５０，２５２，２５４）に前記カム（２４０，２９３，３４２）との接触を維持させるように、前記カムフォロワー（２５０，２５２，２５４）に接続する少なくとも１つのスプリング（２８０）を備える請求項８に記載の容積式圧縮機。
【請求項１０】
請求項６に記載の容積式圧縮機であって、
前記少なくとも１つのカム（２４０，２９３，３４２）は、前記シャフト（１４０）及びローター（５００，５０２，５０４，５０６）と共に回転するように設置され、
前記ゲートポジショニングシステム（２００，３００）は、
前記少なくとも１つのカム（２４０，２９３，３４２）の外縁に接続する少なくとも１つのカムフォロワー（２５０，２５２，２５４）ベアリングと、
前記少なくとも１つのカム（２４０，２９３，３４２）の内縁に接続する少なくとも１つのカムフォロワーベアリングと、
前記カムフォロワーベアリング、及び前記ゲート（６００）を囲むゲートケーシング（１５０，３３６）に接続するゲート支持アーム（２２０）と、を更に備え、
前記少なくとも１つのカム（２４０，２９３，３４２）の回転は前記ゲート（６００）を上下させる、
容積式圧縮機。
【請求項１１】
前記圧縮機の動作中に圧縮が生じる前記圧縮室（４１０）内の領域に液体を注入するように配置された少なくとも１つの液体注入器（１３０）を更に備える請求項１に記載の容積式圧縮機。
【請求項１２】
前記ローター（５００，５０２，５０４，５０６）は、前記ローター（５００，５０２，５０４，５０６）が釣合いをとるのを助ける少なくとも１つの機構（５５０）を含む請求項１に記載の容積式圧縮機。
【請求項１３】
前記円筒状のケーシング（４００）の断面底部の近くに配置された出口ポート（４３０）を更に備える請求項１に記載の容積式圧縮機。
【請求項１４】
容積式圧縮機であって、
第１の端部と第２の端部とを有するケーシング（４００）の内側によって定められる圧縮室（４１０）と、
前記圧縮室（４１０）内に配置され、前記ケーシング（４００）に対して回転するように前記ケーシング（４００）に設けられたシャフト（１４０）と、
前記圧縮室（４１０）内に配置され、前記ケーシング（４００）に対して前記シャフト（１４０）と共に回転するように設置され、シーリング部分（５１０）を有するローター（５００，５０２，５０４，５０６）と、
第１の端部と第２の端部とを有するゲート（６００）と、
前記ゲート（６００）の前記第１の端部を回転する前記ローター（５００，５０２，５０４，５０６）に近接して配置させるように動作可能なゲートポジショニングシステム（２００，３００，３７０）と、を備え、
前記ゲートポジショニングシステム（２００，３００，３７０）の一部が、前記圧縮室（４１０）の外側に配置される容積式圧縮機。
【請求項１５】
請求項１４に記載の容積式圧縮機であって、
前記ゲートポジショニングシステム（２００，３００）は、前記ゲートポジショニングシステム（２００，３００）を駆動する少なくとも１つのカム（２４０，２９３，３４２）を備え、
前記カム（２４０，２９３，３４２）は、前記圧縮室（４１０）の外側に配置される、
容積式圧縮機。
【請求項１６】
容積式圧縮機であって、
入口ポート（４２０）、出口ポート（４３０）、及び、ローターケーシング容積を定める内壁を有する円筒状のローターケーシング（４００）と、
前記ローターケーシング（４００）の前記内壁の湾曲に対応するシーリング部分（５１０）を有するローター（５００，５０２，５０４，５０６）と、
前記ローターケーシング容積に液体を注入するように前記ローターケーシング（４００）に接続された少なくとも１つの液体注入器（１３０）と、
第１の端部と第２端部とを有し、前記第１の端部を回転する前記ローター（５００，５０２，５０４，５０６）に近接するように配置するために前記ローターケーシング（４００）内で移動するように動作可能なゲート（６００）と、を備え、
前記ゲート（６００）は前記ローターケーシング容積において吸入容積と圧縮容積とを分離し、前記入口ポート（４２０）は気体の吸引を可能とするように構成され、前記出口（４３０）は液体及び気体の両方の排出を可能とするように構成される、
容積式圧縮機。
【請求項１７】
請求項１６に記載の容積式圧縮機であって、
前記ゲート（６００）の前記第１の端部を回転する前記ローター（５００，５０２，５０４，５０６）に近接して配置させるように動作可能なゲートポジショニングシステム（２００，３００，３７０）を更に備え、
前記ゲートポジショニングシステム（２００，３００，３７０）の一部が、前記圧縮室（４１０）の外側に配置される、
容積式圧縮機。
【請求項１８】
請求項１６に記載の容積式圧縮機であって、
ドライブシャフト（１４０）を更に備え、
前記ローター（５００，５０２，５０４，５０６）は同心で前記ドライブシャフト（１４０）に設置される、
容積式圧縮機。
【請求項１９】
請求項１８に記載の容積式圧縮機であって、
前記ドライブシャフト（１４０）と同心で回転するように設置された少なくとも１つのカム（２４０，２９３，３４２）と、
前記カム（２４０，２９３，３４２）に接続する少なくとも１つのカムフォロワー（２５０，２５２，２５４）と、
少なくとも１つのスプリング（２８０）と、
前記スプリング（２８０）及び前記カムフォロワー（２５０，２５２，２５４）に接続するゲート支持アーム（２２０）と、を更に備える容積式圧縮機。
【請求項２０】
請求項１８に記載の容積式圧縮機であって、
前記ドライブシャフト（１４０）と同心で回転するように設置された少なくとも１つのカム（２４０，２９３，３４２）と、
前記少なくとも１つのカム（２４０，２９３，３４２）の外縁に接続する少なくとも１つのカムフォロワーベアリングと、
前記少なくとも１つのカム（２４０，２９３，３４２）の内縁に接続する少なくとも１つのカムフォロワーベアリングと、
前記カムフォロワーベアリング、及び前記ゲート（６００）を囲むゲートケーシング（１５０，３３６）に接続するゲート支持アーム（２２０）と、を更に備え、
前記少なくとも１つのカム（２４０，２９３，３４２）の回転は前記ゲート（６００）を上下させる容積式圧縮機。
【請求項２１】
請求項１８に記載の容積式圧縮機であって、
前記ドライブシャフト（１４０）及びセカンダリシャフト（１４２）に接続するベルト（２９２）と、
前記セカンダリシャフト（１４２）に接続するカム（２４０，２９３，３４２）と、
前記カム（２４０，２９３，３４２）に接続する複数のカムフォロワーベアリングと、
前記複数のカムフォロワーベアリング及び前記ゲート（６００）に接続するゲート支持アーム（２２０）と、
を更に備える容積式圧縮機。
【請求項２２】
前記円筒状のローターケーシング（４００）の断面底部の近くに配置された出口ポート（４３０）を更に備える請求項１６に記載の容積式圧縮機。
【請求項２３】
液体及び気体の排出を可能とするために前記圧力室（４１０）と流体のやり取りが可能な少なくとも１つの出口バルブ（４４０）を更に備える請求項２２に記載の容積式圧縮機。
【請求項２４】
前記少なくとも１つの液体注入器（１３０）は、霧状の液体スプレーを提供するように構成されたノズル（１３０，１３６，３２２）を備える請求項１６に記載の容積式圧縮機。
【請求項２５】
前記少なくとも１つの液体注入器（１３０）は、前記圧縮機の動作中に圧縮が生じる前記ローターケーシング容積内の領域に液体を注入するように配置される請求項１６に記載の容積式圧縮機。
【請求項２６】
前記圧縮機は、前記ローター（５００，５０２，５０４，５０６）が前記圧縮機の動作中に水平軸の周りを回転するような向きに構成される請求項１６に記載の容積式圧縮機。
【請求項２７】
前記ローター（５００，５０２，５０４，５０６）は、前記ローター（５００，５０２，５０４，５０６）が釣合いをとるのを助けるための少なくとも１つの軽量化機構（５５０）を有する請求項１６に記載の容積式圧縮機。
【請求項２８】
請求項１６に記載の圧縮機を用いて流体を圧縮する方法であって、順に、
前記入口ポート（４２０）を介して流体を前記吸入容積に受け入れるステップと、
前記吸入容積を増加させ前記圧縮容積を減少させるために前記ローター（５００，５０２，５０４，５０６）を回転させるステップと、
前記少なくとも１つの液体注入器（１３０）を介して前記ローターケーシング（４００）に冷却液体を注入するステップと、
更に前記吸入容積を増加させ前記圧縮容積を減少させるために前記ローター（５００，５０２，５０４，５０６）を回転させるステップと、
液体及び圧縮された気体を前記出口ポート（４３０）の外に排出するステップと、
を備える方法。
【請求項２９】
注入される冷却液体は、注入されるときに霧状とされており、熱を吸収し、前記出口ポート（４３０）に向けられる請求項２８に記載の方法。
【請求項３０】
請求項２８に記載の方法であって、
前記圧縮機は、前記ローター（５００，５０２，５０４，５０６）に設置されたドライブシャフト（１４０）を備え、
前記方法は、更に前記吸入容積を増加させ前記圧縮容積を減少させるために前記ローター（５００，５０２，５０４，５０６）を回転させる前記ステップの間、及び、液体及び圧縮された気体を前記出口ポート（４３０）の外に排出する前記ステップの間に、前記ドライブシャフトを水平方向に合わせるステップを更に備える、
方法。